(57)【要約】　　　（修正有）【課題】スキンケア成分と洗浄成分それぞれを使用直前まで新鮮な状態に保ち、洗浄成分と長期的に相性のよくないスキンケア成分を配合でき、スキンケアと洗顔を同時に行うことができ、かつデリケートな肌でも優しく穏やかに洗顔できるための美容液洗顔料容器を提供する。【解決手段】ポンプ付きの液体を入れるための容器を２本備え、当該２本の容器は外容器により固定され、当該２本の容器の頭部の液体排出用のポンプのチューブに、上下に移動可能な押しボタン部が固着されており、当該押しボタン部を押圧することにより２本の容器に充填されている液体が同時に排出されるものである美容液洗顔料容器に関する。【選択図】　図１
0003097937.tif 000002
【実用新案登録請求の範囲】
【請求項１】
ポンプ付きの液体を入れるための容器を２本備え、当該２本の容器は外容器により固定され、当該２本の容器の頭部の液体排出用のポンプのチューブに、上下に移動可能な押しボタン部が固着されており、当該押しボタン部を押圧することにより２本の容器に充填されている液体が同時に排出されるものである美容液洗顔料容器。
【請求項２】
液体を入れるための容器は透明又は半透明の材料でできている請求項１に記載の美容液洗顔料容器。
【請求項３】
２本の容器を固定している外容器の一部が透明にっており、外容器に固定されている２本の容器が可視可能になっている請求項１又は２に記載の美容液洗顔料容器。
【考案の詳細な説明】
【０００１】
【産業上の利用分野】
本考案は、ポンプ付きの液体を入れるための容器を２本備え、当該２本の容器は外容器により固定され、当該２本の容器の頭部の液体排出用のポンプのチューブに、上下に移動可能な押しボタン部が固着されており、当該押しボタン部を押圧することにより２本の容器に充填されている液体が同時に排出されるものである美容液洗顔料容器に関する。本考案の容器は、２種類の液体が完全に区分けされた１つのポンプ付き容器に美容液と洗顔料をそれぞれ充頃したものであり、使用時にポンプをプッシュして中味を出すと２液が同時に出てくるように構成されたものである。
【０００２】
【従来の技術】
従来の美容洗顔とは、（１）洗顔料を使用した洗顔した後、美容液をつける方法、（２）洗顔料に美容成分を配合する方法、の２通りであった。（１）の方法は経済的負担も大きく、手間もかかり、持ち運びにも不便であった。また、（２）の方法は、主に界面活性剤や石けん成分などの洗浄成分で構成される洗顔料の中に、動植物のエキスやアミノ酸、タンパク質、糖類、油脂、などから成る美容成分を混合した状態が長期間継続するので、使用するまでに活性剤などによって美容成分が劣化、変質または不活性になり、充分な美容効果を持たなくなる、または逆にタンパク質や油脂などにより洗浄成分がその効果を阻害され、充分な洗浄効果を持たなくなる、等の問題が生じていた。もしくはそれを回避するために美容成分の種類や量を相当に制限する必要があった。
例えば、アラントインやビタミンＣといったスキンケア成分は、石けん成分のアルカリに反応し徐々に分解されていくので、石けん主体の洗顔料にこれらを配合した場合、消費者の手に届く頃には配合した量よりも少なくなってしまう。
【０００３】
また、一度出した液状化粧料の逆流を防止するための化粧料容器（特許文献１参照）などの化粧料容器についても改良が行われている。
【０００４】
【特許文献１】
特開２００２−１８６５１８号
【０００５】
【考案が解決しようとする課題】
本考案は、スキンケア成分と洗浄成分それぞれを使用直前まで新鮮な状態に保ち、洗浄成分と長期的に相性のよくないスキンケア成分を配合でき、スキンケアと洗顔を同時に行うことができ、かつデリケートな肌でも優しく穏やかに洗顔できるための美容液洗顔料容器を提供する。
【０００６】
【課題を解決するための手段】
本考案は、ポンプ付きの液体を入れるための容器を２本備え、当該２本の容器は外容器により固定され、当該２本の容器の頭部の液体排出用のポンプのチューブに、上下に移動可能な押しボタン部が固着されており、当該押しボタン部を押圧することにより２本の容器に充填されている液体が同時に排出されるものである美容液洗顔料容器に関する。
【０００７】
本考案の具体例について図面を参照して説明する。図１は本考案の容器の例の鳥瞰図を示し、図２はその断面図を示す。図３は容器の押しボタン部１０の概要を示したものである。
外容器は、上部１、中部２及び下部３からなり、外容器の上部１と下部３により２本のポンプ付きの液体を入れるための容器４及び５が固定されている。各々のポンプ付きの液体を入れるための容器のポンプ部６及び７は、外容器の上部１の開口部を通して露出されている。ポンプ部６及び７のチューブの先端の開口部８及び９から液体を入れるための容器４及び５に充填された液体が排出される。チューブの開口部８及び９は、押しボタン部１０に連接される。押しボタン部１０は、容器の上部１に上下に可動できるようにチューブの開口部８及び９と、押しボタン部１０のチューブ受け口１１及び１２により接合される。
【０００８】
押しボタン部１０を押圧することにより、ポンプ部６及び７のチューブが下方に押され、おされた圧力により液体を入れるための容器４及び５の内部に圧力がかかり、液体を入れるための容器４及び５に充填されている液体が、それぞれチューブの開口部８及び９から排出される。チューブの開口部８及び９から排出された液体は、押しボタン部１０のチューブの受け口１１及び１２から、導管１３及び１４を通って、排出口１５及び１６からそれぞれ排出される。押しボタン部１０を押圧すると、液体を入れるための容器４及び５にそれぞれ同時に圧力がかかるために、液体を入れるための容器４及び５に充填されている液体が同時にほぼ同量一度に排出されることになる。
【０００９】
ポンプ付きの液体を入れるための容器４及び５には、この例ではそれぞれ美容液と洗顔料が充填されているが、必ずしもこれに限定されるものではない。また、この例では１回の押圧によりほぼ同量の洗顔料と美容液が出るように設計されているが、チューブの開口部などの大きさを適宜変更することにより両液の排出量を調整することができる。
図１に示す容器には、必要に応じて押しボタン部１０を覆う蓋部を設けることもできる。蓋部は、外容器の上部１の上部外周にはめ込むことができる。
【００１０】
本考案の容器の外形状は任意の形状でよく、円柱状、四角柱状、楕円柱状などの任意の形状にすることができる。また、外容器の一部を透明にすることにより、外容器の内部に収納されている液状物、例えば洗顔料や美容液を入れた容器を外から見えるようにすることもできる。さらに、ポンプ付きの液体を入れるための容器４及び５も透明又は半透明状にすることにより、液状の内容物を外から見えるようにすることもできる。
【００１１】
本考案の容器は、２種類に液体を完全に区分けされたポンプ付き容器に別々に充頃するものであり、使用時にポンプをプッシュして中味を出すと２液が同時に出てくる構造を有するものである。２種類の液体は、使用時まで別々の容器に保存されているので、両液が混合すると不都合が生じるような場合であっても、使用時まで両液を安定にかつ新鮮に保存することができる。
本考案の２本の容器にそれぞれ、美容液と洗顔料を充填した、美容液洗顔料容器は、それぞれをベストな状態で保存でき、美容液と洗顔料を同時に使用できる。それゆえに、充分な洗浄効果を発揮し、かつ洗顔による摩擦や刺激から皮膚を守り、肌を整えるスキンケアの効果も充分に発揮することができる。さらに１本でスキンケアと洗顔ができるので、手間がかからず経済的負担も少ないうえ持ち歩きにも便利である。
【００１２】
【実施例】
実施例
図１に示す容器を製造し、液状物の容器４及び５に洗顔料及び美容液をそれぞれ充填した。押しボタン部１０を押すと、押しボタン１０の排出口１５及び１６から洗顔料と美容液が同時に排出された。
【００１３】
【考案の効果】
本考案の容器は、美容成分と洗浄成分が完全に区分けされた状態でボトルに充頃されているのでそれぞれの成分に互いが干渉しないので、それぞれがベストな状態で美容液と洗顔料を同時に使用できる。それゆえに、充分な洗浄効果を発揮し、かつ洗顔による摩擦や刺激から皮膚を守り、肌を整えるスキンケアの効果も充分に発揮することができる。さらに１本でスキンケアと洗顔ができるので、手間がかからず経済的負担も少ないうえ持ち歩きにも便利である。
【図面の簡単な説明】
【図１】図１は、本考案の容器の例を示した鳥瞰図である。
【図２】図２は、本考案の容器の例の断面図である。
【図３】図３は、本考案の容器の例の押しボタン部１０を示す。
【符号の説明】
１　　外容器の上部
２　　外容器の中部
３　　外容器の下部
４　　ポンプ付きの液体を入れるための容器
５　　ポンプ付きの液体を入れるための容器
６　　ポンプ部
７　　ポンプ部
８　　ポンプ部６のチューブの先端の開口部
９　　ポンプ部７のチューブの先端の開口部
１０　　押しボタン部
１１　　押しボタン部１０のチューブ受け口
１２　　押しボタン部１０のチューブ受け口
１３　　導管
１４　　導管
１５　　排出口
１６　　排出口
【図１】
0003097937.tif 000003
【図２】
0003097937.tif 000004
【図３】
0003097937.tif 000005